(57)【特許請求の範囲】
【請求項１】
無線ネットワーク内の基地局によって、前記基地局が、ビームに関連付けられたビーム固有同期信号ブロック位置を介して前記ビームのための同期信号ブロックを送信することが不可能であったと決定することと、
前記基地局によって、前記決定に応じて、前記ビームのための同期信号ブロックを、非ビーム固有同期信号ブロック位置を介して送信することと、
前記基地局によって、前記非ビーム固有同期信号ブロック位置を介した前記同期信号ブロックの前記送信を示す制御情報を送信することと、
を含む、方法。
【請求項２】
前記制御情報を送信することは、
前記基地局によって、前記非ビーム固有同期信号ブロック位置を介した前記同期信号ブロックの前記送信を示す制御情報を、前記送信される同期信号ブロック内でまたは前記送信される同期信号ブロックの一部として送信することを含む、請求項１に記載の方法。
【請求項３】
前記制御情報を送信することは、
前記基地局によって、前記非ビーム固有同期信号ブロック位置を介した前記同期信号ブロックの前記送信を示す制御情報を、前記送信される同期信号ブロックと別個に送信することを含む、請求項１に記載の方法。
【請求項４】
前記同期信号ブロックを送信することは、
前記基地局によって、前記決定に応じて、前記ビームのための同期信号ブロックを、いずれのビームにも関連付けられておらず、割り当てられてもいない複数の非ビーム固有同期信号ブロック位置のうちの１つの非ビーム固有同期信号ブロック位置を介して送信することを含む、請求項１〜３のいずれか１項に記載の方法。
【請求項５】
前記基地局が前記ビーム固有同期信号ブロック位置を介してビームのための同期信号ブロックを送信することが不可能であったと決定することは、
無線チャネルのリスンビフォートーク（ＬＢＴ）評価を行うことと、
前記ＬＢＴ評価に基づいて、前記無線チャネルが前記ビーム固有同期信号ブロック位置についてビジーであるかまたは占有されていると決定することであって、前記ビーム固有同期信号ブロック位置は、時間−周波数リソースのセットを含むことと、
を含む、請求項１〜４のいずれか１項に記載の方法。
【請求項６】
前記基地局によって、前記決定に応じて、前記ビームのための同期信号ブロックを、非ビーム固有同期信号ブロック位置を介して送信することは、
無線チャネルのリスンビフォートーク（ＬＢＴ）評価を行うことと、
前記ＬＢＴ評価に基づいて、前記無線チャネルが前記非ビーム固有同期信号ブロック位置についてビジーでなく、占有されてもいないと決定することと、
前記基地局によって、前記ビームのための同期信号ブロックを、前記非ビーム固有同期信号ブロック位置を介して送信することと、
を含む、請求項１〜５のいずれか１項に記載の方法。
【請求項７】
前記ビーム固有同期信号ブロック位置は前記ビームに関連付けられるかまたは割り当てられ、
前記非ビーム固有同期信号ブロック位置はいずれのビームにも関連付けられておらず、割り当てられてもいない、請求項１〜６のいずれか１項に記載の方法。
【請求項８】
前記ビーム固有同期信号ブロック位置は、永久的にまたは半静的に前記ビームに関連付けられるかまたは割り当てられる、請求項１〜７のいずれか１項に記載の方法。
【請求項９】
前記非ビーム固有同期信号ブロック位置を介して送信される前記同期信号ブロックは、
時間−周波数同期を含む初期システム取得、
時間−周波数同期の追跡、および、
セル識別、
のうちの少なくとも１つのために提供される、請求項１〜８のいずれか１項に記載の方法。
【請求項１０】
前記非ビーム固有同期信号ブロック位置を介して送信される前記同期信号ブロックは、
前記ビームのためのランダムアクセスリソースの特定、および、
ビーム測定、
のうちの少なくとも１つのために提供されない、請求項１〜９のいずれか１項に記載の方法。
【請求項１１】
前記同期信号ブロックは、プライマリ同期信号（ＰＳＳ）、セカンダリ同期信号（ＳＳＳ）、物理ブロードキャスト制御チャネル（ＰＢＣＨ）、および復調基準信号（ＤＭＲＳ）のうちの少なくとも１つを含む、請求項１〜１０のいずれか１項に記載の方法。
【請求項１２】
前記非ビーム固有同期信号ブロック位置を介した前記同期信号ブロックの前記送信を示す制御情報は、
複数の同期信号ブロック位置の各々がビーム固有同期信号ブロック位置であるかまたは非ビーム固有同期信号ブロック位置であるかを示す１つまたは複数のビットと、
送信される同期信号ブロックが、ビーム固有同期信号ブロック位置を介して提供されるか、または非ビーム固有同期信号ブロック位置を介して提供されるかを示すコードと乗算された、前記送信される同期信号ブロックの一部である復調基準信号要素と、
前記送信される同期信号ブロックが、ビーム固有同期信号ブロック位置を介して提供されるか、または非ビーム固有同期信号ブロック位置を介して提供されるかを示すために再利用されるハーフフレームタイミングビットと、
のうちの少なくとも１つを含む、請求項１〜１１のいずれか１項に記載の方法。
【請求項１３】
前記コードは第１のコード［１  １］または第２のコード［１  −１］を含む、請求項１２に記載の方法。
【請求項１４】
少なくとも１つのプロセッサと、コンピュータ命令を含む少なくとも１つのメモリとを備える装置であって、前記コンピュータ命令は、前記少なくとも１つのプロセッサによって実行されると、前記装置に、
無線ネットワーク内の基地局によって、前記基地局が、ビームに関連付けられたビーム固有同期信号ブロック位置を介して前記ビームのための同期信号ブロックを送信することが不可能であったと決定することと、
前記基地局によって、前記決定に応じて、前記ビームのための同期信号ブロックを、非ビーム固有同期信号ブロック位置を介して送信することと、
前記基地局によって、前記非ビーム固有同期信号ブロック位置を介した前記同期信号ブロックの前記送信を示す制御情報を送信することと、
を行わせる、装置。
【請求項１５】
無線ネットワーク内のユーザデバイスによって、前記ユーザデバイスが、ビームに関連付けられたビーム固有同期信号ブロック位置を介して前記ビームのための同期信号ブロックを受信することが不可能であると決定することと、
前記ユーザデバイスによって、複数の非ビーム固有同期信号ブロック位置のうちの１つの非ビーム固有同期信号ブロック位置を介して前記ビームのための同期信号ブロックを受信することと、
前記ユーザデバイスによって、前記同期信号ブロックが前記非ビーム固有同期信号ブロック位置を介して送信されていることを示す制御情報を受信することと、
を含む、方法。
【請求項１６】
前記制御情報は、前記同期信号ブロック内でもしくは同期信号ブロックの一部として受信されるか、または前記同期信号ブロックと別個に送られる制御情報として受信される、請求項１５に記載の方法。
【請求項１７】
少なくとも１つのプロセッサと、コンピュータ命令を含む少なくとも１つのメモリとを備える装置であって、前記コンピュータ命令は、前記少なくとも１つのプロセッサによって実行されると、前記装置に、
無線ネットワーク内のユーザデバイスによって、前記ユーザデバイスが、ビームに関連付けられたビーム固有同期信号ブロック位置を介して前記ビームのための同期信号ブロックを受信することが不可能であると決定することと、
前記ユーザデバイスによって、複数の非ビーム固有同期信号ブロック位置のうちの１つの非ビーム固有同期信号ブロック位置を介して前記ビームのための同期信号ブロックを受信することと、
前記ユーザデバイスによって、前記同期信号ブロックが前記非ビーム固有同期信号ブロック位置を介して送信されていることを示す制御情報を受信することと、
を行わせる、装置。
【請求項１８】
請求項１〜１３、１５および１６のいずれかに記載の方法を実行するための手段を備える装置。
【請求項１９】
少なくとも１つのプロセッサと、コンピュータ命令を含む少なくとも１つのメモリとを備える装置であって、前記コンピュータ命令は、前記少なくとも１つのプロセッサによって実行されると、前記装置に、請求項１〜１３、１５および１６のいずれかに記載の方法を実行させる、装置。
【請求項２０】
少なくとも１つのデータ処理装置に、請求項１〜１３、１５および１６のいずれかに記載の方法を実行させるためのコンピュータプログラム。
【発明の詳細な説明】
【技術分野】
【０００１】
本願記載は、通信に関する。
【背景技術】
【０００２】
通信システムは、固定またはモバイル通信デバイス等の、２つ以上のノードまたはデバイス間の通信を可能にする施設であり得る。信号は、有線または無線のキャリア上で搬送することができる。
【０００３】
セルラー通信システムの例は、第３世代パートナーシッププロジェクト（３ＧＰＰ）によって標準化されているアーキテクチャである。この分野での最近の発展は、しばしば、ユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）無線アクセス技術のロングタームエボリューション（ＬＴＥ）と呼ばれる。Ｅ−ＵＴＲＡ（ｅｖｏｌｖｅｄ  ＵＭＴＳ  Ｔｅｒｒｅｓｔｒｉａｌ  Ｒａｄｉｏ  Ａｃｃｅｓｓ：進化型ＵＭＴＳ地上無線アクセス）は、モバイルネットワーク向けの３ＧＰＰのロングタームエボリューション（ＬＴＥ）アップグレードパスのエアインターフェースである。ＬＴＥでは、拡張ノードＢ（ｅＮＢ）と呼ばれる基地局またはアクセスポイント（ＡＰ）が、カバレッジエリアまたはセル内で無線アクセスを提供する。ＬＴＥでは、モバイルデバイス、またはモバイルステーションは、ユーザ装置（ＵＥ）と呼ばれる。ＬＴＥには、多くの改善または開発が含まれている。
【０００４】
５Ｇ新無線（ＮＲ）の開発は、３Ｇおよび４Ｇ無線ネットワークの早期の展開と同様に、５Ｇの要件を満たすための継続的なモバイルブロードバンド展開プロセスの一部である。５Ｇの目標は、無線性能における大幅な改善をもたらすことであり、これには、新たなレベルのデータレート、レイテンシ、信頼性およびセキュリティを含めることができる。５Ｇ  ＮＲは、大量のモノのインターネット（ＩｏＴ）を効率的に接続するようにスケーリングすることができ、新たなタイプのミッションクリティカルなサービスを提供することができる。
【発明の概要】
【０００５】
例示的な実施態様によれば、方法が、無線ネットワーク内の基地局によって、基地局が、ビームに関連付けられたビーム固有同期信号ブロック位置（ｂｅａｍ−ｓｐｅｃｉｆｉｃ  ｓｙｎｃｈｒｏｎｉｚａｔｉｏｎ  ｓｉｇｎａｌ  ｂｌｏｃｋ  ｐｏｓｉｔｉｏｎ）を介してビームのための同期信号ブロックを送信することが不可能であったと決定することと、基地局によって、決定に応じて、ビームのための同期信号ブロックを、非ビーム固有同期信号ブロック位置（ｎｏｎ−ｂｅａｍ−ｓｐｅｃｉｆｉｃ  ｓｙｎｃｈｒｏｎｉｚａｔｉｏｎ  ｓｉｇｎａｌ  ｂｌｏｃｋ  ｐｏｓｉｔｉｏｎ）を介して送信することと、基地局によって、非ビーム固有同期信号ブロック位置を介した同期信号ブロックの送信を示す制御情報を送信することとを含む。
【０００６】
例示的な実施態様によれば、装置が、少なくとも１つのプロセッサと、コンピュータ命令を含む少なくとも１つのメモリとを備え、コンピュータ命令は、少なくとも１つのプロセッサによって実行されると、装置に、無線ネットワーク内の基地局によって、基地局が、ビームに関連付けられたビーム固有同期信号ブロック位置を介してビームのための同期信号ブロックを送信することが不可能であったと決定することと、基地局によって、決定に応じて、ビームのための同期信号ブロックを、非ビーム固有同期信号ブロック位置を介して送信することと、基地局によって、非ビーム固有同期信号ブロック位置を介した同期信号ブロックの送信を示す制御情報を送信することとを行わせる。
【０００７】
例示的な実施態様によれば、コンピュータプログラム製品が、コンピュータ可読記憶媒体を含み、実行可能コードを記憶し、実行可能コードは、少なくとも１つのデータ処理装置によって実行されると、少なくとも１つのデータ処理装置に、無線ネットワーク内の基地局によって、基地局が、ビームに関連付けられたビーム固有同期信号ブロック位置を介してビームのための同期信号ブロックを送信することが不可能であったと決定することと、基地局によって、決定に応じて、ビームのための同期信号ブロックを、非ビーム固有同期信号ブロック位置を介して送信することと、基地局によって、非ビーム固有同期信号ブロック位置を介した同期信号ブロックの送信を示す制御情報を送信することとを含む方法を実行させるように構成される。
【０００８】
例示的な実施態様によれば、方法が、ユーザデバイスによって、同期信号ブロックを受信することと、ユーザデバイスによって、同期信号ブロックが、ビームに関連付けられたビーム固有同期信号ブロック位置を介して受信されたか、または非ビーム固有同期信号ブロック位置を介して受信されたかを決定することと、同期信号ブロックがビーム固有同期信号ブロック位置を介して受信された場合にのみ第１の動作を実行することとを含む。
【０００９】
例示的な実施態様によれば、装置が、少なくとも１つのプロセッサと、コンピュータ命令を含む少なくとも１つのメモリとを備え、コンピュータ命令は、少なくとも１つのプロセッサによって実行されると、装置に、ユーザデバイスによって、同期信号ブロックを受信することと、ユーザデバイスによって、同期信号ブロックが、ビームに関連付けられたビーム固有同期信号ブロック位置を介して受信されたか、または非ビーム固有同期信号ブロック位置を介して受信されたかを決定することと、同期信号ブロックがビーム固有同期信号ブロック位置を介して受信された場合にのみ第１の動作を実行することとを行わせる。
【００１０】
例示的な実施態様によれば、コンピュータプログラム製品が、コンピュータ可読記憶媒体を含み、実行可能コードを記憶し、実行可能コードは、少なくとも１つのデータ処理装置によって実行されると、少なくとも１つのデータ処理装置に、ユーザデバイスによって、同期信号ブロックを受信することと、ユーザデバイスによって、同期信号ブロックが、ビームに関連付けられたビーム固有同期信号ブロック位置を介して受信されたか、または非ビーム固有同期信号ブロック位置を介して受信されたかを決定することと、同期信号ブロックがビーム固有同期信号ブロック位置を介して受信された場合にのみ第１の動作を実行することとを含む方法を実行させるように構成される。
【００１１】
例示的な実施態様によれば、方法が、無線ネットワーク内のユーザデバイスによって、ユーザデバイスが、ビームに関連付けられたビーム固有同期信号ブロック位置を介してビームのための同期信号ブロックを受信することが不可能であると決定することと、ユーザデバイスによって、複数の非ビーム固有同期信号ブロック位置のうちの１つの非ビーム固有同期信号ブロック位置を介してビームのための同期信号ブロックを受信することと、ユーザデバイスによって、同期信号ブロックが非ビーム固有同期信号ブロック位置を介して送信されていることを示す制御情報を受信することとを含む。
【００１２】
例示的な実施態様によれば、装置が、少なくとも１つのプロセッサと、コンピュータ命令を含む少なくとも１つのメモリとを備え、コンピュータ命令は、少なくとも１つのプロセッサによって実行されると、装置に、無線ネットワーク内のユーザデバイスによって、ユーザデバイスが、ビームに関連付けられたビーム固有同期信号ブロック位置を介してビームのための同期信号ブロックを受信することが不可能であると決定することと、ユーザデバイスによって、複数の非ビーム固有同期信号ブロック位置のうちの１つの非ビーム固有同期信号ブロック位置を介してビームのための同期信号ブロックを受信することと、ユーザデバイスによって、同期信号ブロックが非ビーム固有同期信号ブロック位置を介して送信されていることを示す制御情報を受信することとを行わせる。
【００１３】
例示的な実施態様によれば、コンピュータプログラム製品が、コンピュータ可読記憶媒体を含み、実行可能コードを記憶し、実行可能コードは、少なくとも１つのデータ処理装置によって実行されると、少なくとも１つのデータ処理装置に、無線ネットワーク内のユーザデバイスによって、ユーザデバイスが、ビームに関連付けられたビーム固有同期信号ブロック位置を介してビームのための同期信号ブロックを受信することが不可能であると決定することと、ユーザデバイスによって、複数の非ビーム固有同期信号ブロック位置のうちの１つの非ビーム固有同期信号ブロック位置を介してビームのための同期信号ブロックを受信することと、ユーザデバイスによって、同期信号ブロックが非ビーム固有同期信号ブロック位置を介して送信されていることを示す制御情報を受信することとを含む方法を実行させるように構成される。
【００１４】
実施態様の１つまたは複数の例の詳細が、添付の図面および以下の説明に記載されている。他の機能は、説明および図面から、ならびに請求項から明らかになる。
【図面の簡単な説明】
【００１５】
【図１】例示的な実施態様による無線ネットワークのブロック図である。
【図２】説明のための例示的な実施態様による同期信号ブロック（ＳＳブロック）を示す図である。
【図３】ビーム固有ＳＳ（同期信号）ブロック位置のセットおよび非ビーム固有ＳＳブロック位置のセットを示す図である。
【図４】例示的な実施形態によるシステムの動作を示す図である。
【図５】例示的な実施形態による基地局の動作を示すフローチャートである。
【図６】例示的な実施形態によるユーザデバイス（ＵＥ）の動作を示すフローチャートである。
【図７】別の例示的な実施形態によるユーザデバイス（ＵＥ）の動作を示すフローチャートである。
【図８】例示的な実施形態によるノードまたは無線局（例えば、基地局／アクセスポイントまたはモバイルステーション／ユーザデバイス）のブロック図である。
【発明を実施するための形態】
【００１６】
図１は、例示的な実施態様による無線ネットワーク１３０のブロック図である。図１の無線ネットワーク１３０では、モバイルステーション（ＭＳ）またはユーザ機器（ＵＥの）とも呼ばれる場合があるユーザデバイス１３１、１３２、１３３および１３５は、アクセスポイント（ＡＰ）、拡張ノードＢ（ｅＮＢ）、ｇＮＢまたは、ネットワークノードとも呼ばれる場合がある基地局（ＢＳ）１３４と接続（および通信）することができる。アクセスポイント（ＡＰ）、基地局（ＢＳ）、または、（ｅ）ノードＢ（ｅＮＢ）の機能の少なくとも一部は、リモートラジオヘッド等のトランシーバに動作可能に結合することができる任意のノード、サーバーまたはホストによって実行することもできる。ＢＳ（またはＡＰ）１３４は、ユーザデバイス１３１、１３２、１３３および１３５を含むセル１３６内に無線カバレッジを提供する。４つのユーザデバイスのみが、ＢＳ１３４に接続またはアタッチされているものとして示されているが、任意の数のユーザデバイスを提供できる。ＢＳ１３４は、Ｓ１インターフェース１５１を介してコアネットワーク１５０にも接続されている。これは、無線ネットワークの１つの単純な例にすぎず、他の例も使用できる。
【００１７】
ユーザデバイス（ユーザ端末、ユーザ機器（ＵＥ）またはモバイルステーション）は、加入者識別モジュール（ＳＩＭ：ｓｕｂｓｃｒｉｂｅｒ  ｉｄｅｎｔｉｆｉｃａｔｉｏｎ  ｍｏｄｕｌｅ）の有無に関わらず動作する無線モバイル通信デバイスを含むポータブルコンピューティングデバイスを指すことができる。無線モバイル通信デバイスには、例として、モバイルステーション（ＭＳ：ｍｏｂｉｌｅ  ｓｔａｔｉｏｎ：移動局）、モバイルフォン（ｍｏｂｉｌｅ  ｐｈｏｎｅ：移動電話）、携帯電話（ｃｅｌｌ  ｐｈｏｎｅ）、スマートフォン、パーソナルデジタルアシスタント（ＰＤＡ：ｐｅｒｓｏｎａｌ  ｄｉｇｉｔａｌ  ａｓｓｉｓｔａｎｔ）、ハンドセット、無線モデムを使用するデバイス（アラームまたは測定デバイス等）、ラップトップおよび／またはタッチスクリーンコンピュータ、タブレット、ファブレット（ｐｈａｂｌｅｔ）、ゲームコンソール、ノートブックおよびマルチメディアデバイス等の種類のデバイスが含まれるが、これらに限定されるものではない。ユーザデバイスは、ほぼ排他的なアップリンクのみのデバイスであり得ることは理解されるべきである。ユーザデバイスの一例は、画像またはビデオクリップをネットワークにロードするカメラまたはビデオカメラである。
【００１８】
（例として）ＬＴＥでは、コアネットワーク１５０は、発展型パケットコア（ＥＰＣ：Ｅｖｏｌｖｅｄ  Ｐａｃｋｅｔ  Ｃｏｒｅ）と呼ばれる場合がある。ＥＰＣは、ＢＳ間のユーザデバイスのモビリティ／ハンドオーバーを処理または支援することができるモビリティ管理エンティティ（ＭＭＥ）、ＢＳとパケットデータネットワークまたはインターネットとの間でデータおよび制御信号を転送できる１つまたは複数のゲートウェイ、および、他の制御機能またはブロックを含むことができる。
【００１９】
加えて、説明のための例として、本明細書に記載の様々な例示的な実施形態または技法は、様々なタイプのユーザデバイスもしくはデータサービスタイプに適用することができるか、または様々なデータサービスタイプのものであり得る複数のアプリケーションをその上で実行することができるユーザデバイスに適用することができる。新無線（５Ｇ）の発展は、例えば、マシンタイプ通信（ＭＴＣ：ｍａｃｈｉｎｅ  ｔｙｐｅ  ｃｏｍｍｕｎｉｃａｔｉｏｎｓ）、拡張マシンタイプ通信（ｅＭＴＣ：ｅｎｈａｎｃｅｄ  ｍａｃｈｉｎｅ  ｔｙｐｅ  ｃｏｍｍｕｎｉｃａｔｉｏｎ）、モノのインターネット（ＩｏＴ：Ｉｎｔｅｒｎｅｔ  ｏｆ  Ｔｈｉｎｇｓ）および／または狭帯域ＩｏＴユーザデバイス（ｎａｒｒｏｗｂａｎｄ  ＩｏＴ  ｕｓｅｒ  ｄｅｖｉｃｅｓ）、拡張モバイルブロードバンド（ｅＭＢＢ：ｅｎｈａｎｃｅｄ  ｍｏｂｉｌｅ  ｂｒｏａｄｂａｎｄ）、セルフバックホールを含む無線中継（ｗｉｒｅｌｅｓｓ  ｒｅｌａｙｉｎｇ  ｉｎｃｌｕｄｉｎｇ  ｓｅｌｆ−ｂａｃｋｈａｕｌｉｎｇ）、Ｄ２Ｄ（ｄｅｖｉｃｅ−ｔｏ−ｄｅｖｉｃｅ：デバイスツーデバイス）通信、および超高信頼性低レイテンシ通信（ＵＲＬＬＣ：ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ）等の、複数の異なるアプリケーションまたは複数の異なるデータサービスタイプをサポートすることができる。シナリオは、従来のライセンスされたバンド（ｌｉｃｅｎｓｅｄ  ｂａｎｄ：ライセンスバンド）運用およびライセンスされていないバンド（ｕｎｌｉｃｅｎｓｅｄ  ｂａｎｄ：アンライセンスバンド）運用の双方をカバーすることができる。いくつかの場合、アンライセンスバンド運用は、例えばキャリアアグリゲーションまたは二重接続性によって、ライセンス支援型アンライセンスアクセスに基づくことができる。別の選択肢は、アンライセンスバンドにおいてスタンドアロンモードで運用することである。
【００２０】
ＩｏＴは、インターネットまたはネットワーク接続性を有することができるオブジェクトの成長し続けているグループを指すことができ、これらのオブジェクトは、他のネットワークデバイスとの間で情報を送受信することができるようになっている。例えば、多くのセンサータイプアプリケーションまたはデバイスは、物理的状態またはステータスを監視することができ、例えばイベントが発生したときに、サーバーまたは他のネットワークデバイスにレポートを送信することができる。マシンタイプ通信（ＭＴＣ、またはマシンツーマシン通信）は、例えば、人間の介入を伴うかまたは伴わない、インテリジェントマシン間での完全に自動的なデータ生成、交換、処理および作動によって特徴付けることができる。拡張モバイルブロードバンド（ｅＭＢＢ）は、ＬＴＥにおいて現在利用可能であるよりもはるかに高いデータレートをサポートすることができる。
【００２１】
超高信頼性低レイテンシ通信（ＵＲＬＬＣ）は、新無線（５Ｇ）システムについてサポートすることができる新たなサービスタイプまたは新たな利用シナリオである。これは、産業オートメーション、自動運転、車両安全、ｅヘルスサービス等の新たなアプリケーションおよびサービスの台頭を可能にする。説明のための例として、３ＧＰＰは、１０-5のブロック誤り率（ＢＬＥＲ）および最大で１ｍｓのＵプレーン（ユーザ／データプレーン）レイテンシに対応する信頼性で接続性を提供することを目標とする。このため、例えば、ＵＲＬＬＣユーザデバイス／ＵＥは、他のタイプのユーザデバイス／ＵＥよりも大幅に低いブロック誤り率および低レイテンシを要求する場合がある（同時に高信頼性を要求する場合もしない場合もある）。
【００２２】
様々な例示的な実施形態を、ＬＴＥ、ＬＴＥ−Ａ、５Ｇ、ｃｍＷａｖｅおよび／またはｍｍＷａｖｅバンドネットワーク、ＩｏＴ、ＭＴＣ、ｅＭＴＣ、ｅＭＢＢ、ＵＲＬＬＣ等の広範にわたる無線技術もしくは無線ネットワーク、または任意の他の無線ネットワークもしくは無線技術に適用することができる。これらの例示的なネットワーク、技術またはデータサービスタイプは、説明のための例としてのみ提供される。
【００２３】
例示的な実施態様によれば、ＢＳ（例えば、ｇＮＢと呼ばれる場合がある５Ｇ  ＢＳまたは他のＢＳ）は、同期信号ブロック（ＳＳブロック）を送信することができ、このＳＳブロックは、１つまたは複数のＵＥ／ユーザデバイスによって受信することができる。例示的な実施態様において、ＳＳブロックは、例えば、プライマリ同期信号（ＰＳＳ：ｐｒｉｍａｒｙ  ｓｙｎｃｈｒｏｎｉｚａｔｉｏｎ  ｓｉｇｎａｌｓ）、セカンダリ同期信号（ＳＳＳ：ｓｅｃｏｎｄａｒｙ  ｓｙｎｃｈｒｏｎｉｚａｔｉｏｎ  ｓｉｇｎａｌｓ）、物理的ブロードキャスト制御チャネル（ＰＢＣＨ：ｐｈｙｓｉｃａｌ  ｂｒｏａｄｃａｓｔ  ｃｏｎｔｒｏｌ  ｃｈａｎｎｅｌ）、および復調基準信号（ＤＭＲＳ：ｄｅｍｏｄｕｌａｔｉｏｎ  ｒｅｆｅｒｅｎｃｅ  ｓｉｇｎａｌｓ）のうちの１もしくは複数または更には全てを含むことができる。説明のための例として、ＰＳＳおよびＳＳＳは、ＵＥが初期システム取得を得ることを可能にすることができ、これは例えば、初期時間同期（例えば、シンボルおよびフレームタイミングを含む）、初期周波数同期、およびセル取得（例えば、セルのための物理セルＩＤを得ることを含む）を得ることを含むことができる。また、ＵＥは、ＤＭＲＳおよびＰＢＣＨを用いて、スロットおよびフレームタイミングを決定することができる。加えて、ＰＢＣＨは、ＵＥについての１つまたは複数の重要なパラメータ（例えば、システムフレーム番号、残りのシステム情報／ＲＭＳＩをどのように受信するかについての情報）をアクセスセルに提供することができ、スロットおよびフレームタイミングも含むことができる。ＤＭＲＳは、ＵＥがＰＢＣＨをコヒーレントに復調することを可能にすることができ、スロットタイミング情報も伝達することができる。これらは、同期信号ブロック（ＳＳブロック）内の様々な制御情報をＵＥによってどのように用いることができるかの説明のための例である。ＰＢＣＨは、ＲＭＳＩ（残りの最小システム情報）（ＲＭＳＩ  ＣＯＲＥＳＥＴ）をスケジューリングするのに用いられるＤＬ制御チャネルリソースの周波数／時間ロケーションに関する情報も含むことができる。各ビーム固有ＳＳブロックに関連するＲＭＳＩ  ＣＯＲＥＳＥＴをスタンドアロン動作において用いることができる。
【００２４】
図２は、説明のための例示的な実施形態による同期信号ブロック（ＳＳブロック）を示す図である。ＳＳブロック２００は、４つのシンボルおよび１２個〜２４個のリソースブロック（ＲＢ、物理リソースブロックまたはＰＲＢとしても知られる）にわたって提供される情報を含むことができる。例えば、図２のＳＳＢ２００に示されるように、プライマリ同期情報（ＰＳＳ）２２０は、１２個のＰＲＢおよび１つのＯＦＤＭ（直交周波数分割多重）シンボル（第１のＯＦＤＭシンボルとして示される）を介して提供される。セカンダリ同期信号（ＳＳＳ）２２２は、１２個のＰＲＢおよび第３のＯＦＤＭシンボルを介して提供される。図２に示すように、物理ブロードキャスト制御チャネル（ＰＢＣＨ）２２４および変調基準信号（ＤＭＲＳ）２２６は、ＳＳＢ２００の第２のおよび第４の双方のＯＦＤＭシンボル内でインタリーブされ、２４個のＰＲＢにわたって提供される。例えば、図２に示すＤＭＲＳ／ＰＢＣＨマッピングは、説明のための例示的な実施態様とすることができ、例えば、例として、ＤＭＲＳロケーションおよび密度が必ずしもサブキャリアレベルにおける実際のマッピングを反映しない場合がある、周波数分割多重（ＦＤＭＡ）の原理を示すことができる。物理リソースブロック（ＰＲＢ）とも呼ばれる場合がある各リソースブロック（ＲＢ）は、例えば１２個のサブキャリア、または他の数のサブキャリア等の、複数のサブキャリアを含むことができる。
【００２５】
また、例示的な実施態様によれば、１つまたは複数のＳＳブロックは、特定の時間（例えば、５ｍｓ）窓内等の固定の時間領域ロケーションにおいてＢＳによって送信することができ、ここで、この時間窓内のＳＳブロックのこのグループは、ＳＳブロックバーストセットと呼ぶことができる。
【００２６】
例えば新無線（ＮＲ）／５Ｇについての例示的な実施態様によれば、ＳＳブロックは、時間および周波数領域割り当ての観点で、ＮＲキャリア内でフレキシブルに割り当てることができる。時間領域において、ＳＳブロック（またはバーストセット）は、５、１０、２０、４０、８０、または１６０ｍｓの周期性のうちの１つで送信することができる。周波数領域において、周波数におけるＳＳブロックのロケーションはフレキシブルである（例えば、ＳＳブロックのためのキャリア周波数は、変動し得るかまたはフレキシブルであり得る）。
【００２７】
説明のための例示的な実施態様において、アンライセンスベクトル運用は以下の特定の規則に従うことができる。１つは、送信機がリスンビフォートーク（ＬＢＴ：ｌｉｓｔｅｎ  ｂｅｆｏｒｅ  ｔａｌｋ）チャネル評価を行う必要がある場合があるというものであり、この場合、送信機はまず、無線媒体（または無線チャネル）を検知することができ、媒体がビジー（ｂｕｓｙ）でない（占有されていない）と決定する場合に送信するのみできる。また、例えば、少なくともいくつかの場合、送信機が通常、他の送信機に送信機会を与える前に限られた時間にわたってのみ無線媒体を占有する場合もある。これらは、システム運用に対し特定の含意を有する。ライセンススペクトルでは、ｇＮＢ／ＢＳは、常に所定の時間領域位置においてＳＳブロックを送信することができるのに対し、アンライセンススペクトルでは、特定のＳＳブロックを送信することができるか否かの不確定性が存在する。ライセンススペクトルでは、ＵＥは常に、特定のＳＳブロック位置（ＵＥに通知される）が送信されることを想定することができるが、アンライセンスベクトルでは、リスンビフォートーク（ＬＧＢ）要件に起因して、ＵＥは同じ想定を行うことができない。例えば、アンライセンススペクトルでは、ＬＢＴに基づいて、特定の期間中、チャネルがビジーである場合、これにより、ＢＳが１つまたは複数のビームにわたってＳＳブロックを送信することを阻止することができ、これにより、例えば、ＵＥが時間および周波数同期および追跡を行わないようにすることができる（例えば、ＵＥが１つまたは複数のビームにわたってＳＳブロックを受信することができない場合）。
【００２８】
アンライセンススペクトルにおいて動作しているＮＲ  ＵＥは、ＵＥの時間および周波数同期取得および追跡を容易にするためにダウンリンクシグナリングを必要とする。これは、ｇＮＢ／ＢＳが、ＤＬ共通シグナリングのためにマルチビーム手法を用いて動作しているとき、すなわち、ｇＮＢが、例えばビーム掃引方式でダウンリンク同期信号およびＰＢＣＨを送信しようとしている場合、特に困難であり、ＬＢＴに起因して、ビームのうちのいくつかがブロックされる場合があり、このため、例えば同期信号をセクター全体にわたって送信することができない。例えば、ＳＳブロックは、複数のビームにわたってビーム掃引形式で送信することができ、ＢＳは、ビームのセットの各ビームについて（例えば、４８個のビームの場合、ビーム０〜４７の各々について）ビームごとのＳＳブロックを送信する。ＢＳは、ＢＳがビームのセットにわたって掃引する際、例えばＳＳブロックを送信するために、異なる送信ビームを適用することができる。例えば、マルチアンテナシステムの場合、様々なビームを生成するために、送信機においてアンテナのセットにビーム重みの異なるセットを適用することができる。このようにして、ＢＳは、ＳＳブロック等の信号を、異なるビームを介して、セル内の異なるロケーションまたは位置にあり得るＵＥに送信することが可能になり得る。また、例えば、ＢＳ／ｇＮＢハードウェア能力に依拠して、ＢＳ／ｇＮＢは、４８個の時間領域位置の各々を用いて複数のビームを並列に（同じ時間リソース／時間領域位置中に）送信することが可能であり得る。例えば、ＢＳは、例えば、（同じ時間領域リソース中の）並列な４つの異なるビームを介して、例えば信号（ＳＳブロック等）を送信することが可能となり得る。これにより、（所与の数の時間領域掃引リソースを用いる）共通制御シグナリングについてサポートされるビーム数が増大する。
【００２９】
例示的な実施態様において、少なくともいくつかの場合に、ＬＢＥ要件に起因して、ＢＳは、１つまたは複数のビームについてＳＳブロックを送信することが不可能である場合がある。これにより、ビームを測定し、かつ／またはＢＳとの時間および周波数の同期の維持を試みているＵＥについて問題が生じ得る。例えば、ＢＳは、ＳＳブロックまたはＳＳブロックのサブセットごとに別個にＬＢＴ評価を行うことができる。この結果、ＢＳが１つまたは複数のビームについて、或るＳＳブロックを送信することが可能であるのに対し、ＢＳが別の１つまたは複数のビームについて、別のＳＳブロックを送信することが不可能であることが生じ得る。
【００３０】
したがって、例示的な実施態様によれば、ビーム固有ＳＳブロック位置のセットを設けることができ、例えば、１つのビーム固有ＳＳブロック位置がビームごとに（または各ビームと関連付けて）設けられる。ビーム固有ＳＳブロック位置の各々は、例えば永久的にまたは半静的に（ｓｅｍｉ−ｓｔａｔｉｃａｌｌｙ）、ビームのうちの１つに関連付けるかまたは割り当てることができ、ここで、半静的な割り当てまたは関連付けは、例えば、所定の期間にわたって、または例えば、この割り当てまたは関連付けを後続の割り当てが上書きすることができるまで継続することができる。ビーム固有ＳＳブロック位置のセットに加えて、非ビーム固有ＳＳブロック位置のセットを提供することができ、ここで、ＢＳは、或るビームのためのＳＳブロックを、そのビームに関連付けられるかまたはそのビームに割り当てられたビーム固有ＳＳブロック位置を介して送信することが不可能であった場合、そのビームのためのＳＳブロックを、非ビーム固有ＳＳブロック位置を介して送信することができる。
【００３１】
図３は、ビーム固有ＳＳブロック位置のセットと、非ビーム固有ＳＳブロック位置のセットとを示す図である。図３に示す例において、４８個のビーム固有ＳＳブロック位置のセット３２０が示され、例えば、１つのブロック位置が、４８個のビーム（ＳＳブロック位置０〜４７として符号付けされる）の各々に関連付けられるかまたは割り当てられる。また、１６個の非ビーム固有ＳＳブロック位置のセット３３が示される（ＳＳブロック位置４８〜６３として符号付けされる）。しかしながら、非ビーム固有ＳＳブロック位置は、いずれのビームにも関連付けられておらず、割り当てられてもいない。むしろ、例えば、ＢＳは、ＢＳがＬＢＴに起因して送信することが不可能であったビームのためのＳＳブロックを（例えば、特殊な送信ビームを適用することによって）送信することができる。例えば、ＬＢＴが、ビーム固有ＳＳブロック位置７を介して送信されることになっていたビーム７のためのＳＳブロックをＢＳが送信することを阻止する場合、ＢＳは、そのビーム（ビーム７）のためのＳＳブロックを、（例えば、例としてＳＳブロック位置４９を介して）非ビーム固有ＳＳブロックのうちの１つを介して送信することができる。このため、この場合、ＢＳは、この説明のための例によれば、ＳＳブロック位置４９の間にＳＳブロックを送信するために、（送信ビーム７を生成するためにアンテナ重みのセットを適用することによって）ビーム７を適用することができる。
【００３２】
このため、このようにして、ビーム固有ＳＳブロック位置のセット３２０を、特定のビームに割り当てられ、ＢＳによって、割り当てられたまたは関連付けられたビームを介して各ＳＳブロックを送信するのに通常用いることができる、ＳＳブロック位置のプライマリセット（例えば、図３におけるＳＳブロック位置０〜４７）とみなすことができる。他方で、非ビーム固有ＳＳブロック位置のセット３３０は、例えば、ＢＳによって、ＢＳがビームに割り当てられたビーム固有ＳＳブロック位置を介して送信することができなかったビームのためのＳＳブロックを送信するのに用いることができる、ＳＳブロック位置のセカンダリ（または代替もしくはバックアップ）セットとみなすことができる。
【００３３】
このため、例えば、ＢＳはＬＢＴを行った後、（例えば、関連付けられたビーム固有ＳＳブロック位置の間にＳＳブロックを送信するために、示された送信ビームをそのアンテナに適用することによって、）関連付けられたビームについて（またはこのビームを介して）ビーム固有ＳＳブロック位置の各々においてＳＳブロックの送信を試行することができる。例えばＬＢＴ中にビジーチャネルが検出されることに起因して、ＢＳが送信することができなかった任意のＳＳブロックについて、ＢＳは次にＬＢＴを実行し、次に非ビーム固有ＳＳブロック位置のうちの１つを介して（送信ビームを適用することによって）そのビームのためのＳＳブロックを送信することができる。
【００３４】
例示的な実施態様によれば、ＳＳブロックがビーム固有ＳＳブロック位置を介して送信されるとき、そのようなＳＳブロックのためのビームは既知である。結果として、ＵＥは、ビーム固有ＳＳブロック位置を介して受信されたＳＳブロックを用いて、説明のための例として以下を行うことができる。１）ＰＳＳ／ＳＳＳ信号に基づく時間−周波数同期および追跡を含む、セルまたはＢＳのための初期システム取得を行う、２）受信したＰＳＳ／ＳＳＳ信号に基づいたセル識別（例えば、送信セルについての物理セル識別子／ＰＣＩを特定する）、３）ランダムアクセス要求をＢＳに送信するのに用いることができる（例えば、各ＳＳブロック位置は、対応するランダムアクセスチャネル／ＰＲＡＣＨ位置を有することができる）、ビームに関連付けられたランダムアクセスリソース（例えば、ランダムアクセスプリアンブル：ｒａｎｄｏｍ  ａｃｃｅｓｓ  ｐｒｅａｍｂｌｅまたはコード）を特定する、および、４）ＵＥによって、ＵＥの１つまたは複数の最良のビームを測定するのに用いることができ、最良のビームのセットをＢＳに報告することができる、ビーム測定（例えば、受信ＳＳブロックのＰＳＳ／ＳＳＳ信号の基準信号受信電力（ＲＳＲＰ）の測定を含む）。例えば、各ＳＳブロック位置は、対応するＲＡＣＨ（ランダムアクセスチャネル）リソースを有することができ、リソースは、例えばＲＡＣＨ（ランダムアクセス）プリアンブルのセットを含むことができる。ビームは既知であるか、各ビーム固有ＳＳブロック位置に関連付けられている（割り当てられている）ため、ＵＥは、ビーム固有ＳＳブロックを介して受信されたＳＳブロックに基づいて全ての動作１）〜４）を実行することができる（ＵＥが、そのような受信ＳＳブロックに関連付けられたもしくは割り当てられたビームを知っているか、または特定のビームが当該ビーム固有ＳＳブロック位置においてＳＳブロックを送信するのに用いられることを知っていることに起因する）。
【００３５】
他方で、例示的な実施態様によれば、ＵＥは必ずしも、非ビーム固有ＳＳブロック位置のうちの１つを介して受信されたＳＳブロックに関連付けられたまたは割り当てられたビームを知っているわけではない。結果として、ＵＥは、非ビーム固有ＳＳブロック位置を介して受信されたＳＳブロックに基づいて以下の動作を実行することができない場合がある（ＵＥがそのような受信ＳＳブロックに関連付けられたビームを知らないことに起因する）。３）ビームに関連付けられたランダムアクセスリソースを決定する、および４）ビーム測定（例えば、受信ＰＳＳ／ＳＳＳ信号のＲＳＲＰを測定することができるが、ＵＥは、これらの信号がいずれのビームのためのものであるか、またはいずれのビームに関連付けられているかを知らない場合がある）。しかしながら、ＵＥは依然として、非ビーム固有ＳＳブロック位置を介して受信されたＳＳブロックに基づいて以下の動作を行うことが可能である。１）ＰＳＳ／ＳＳＳ信号に基づいた時間−周波数同期および追跡を含む、セルまたはＢＳのための初期システム取得を行う、および２）受信したＰＳＳ／ＳＳＳ信号に基づいたセル識別（例えば、送信セルについて物理セル識別子／ＰＣＩを特定する）。ＰＳＳ／ＳＳＳ信号は、依然として受信され、時間−周波数同期について用いることができ、ＵＥによって、ＳＳブロックを送信したセルのためのセル識別（例えば、ＰＣＩ）を導出または特定するのにも用いることができる。
【００３６】
したがって、例示的な実施態様によれば、送信することができる２つのタイプのＳＳブロック（または２つのタイプのＳＳブロック位置）が存在することができ、これには、１）ビーム固有ＳＳブロック位置を介して送信されたＳＳブロックであって、ＵＥはそのようなＳＳブロックが関連付けられたビームを知っている、ＳＳブロックと、２）非ビーム固有ＳＳブロック位置を介して送信されたＳＳブロックであって、ＵＥはそのようなＳＳブロックに関連付けられたビームを通常知らない場合がある、ＳＳブロックとが含まれる。上述したように、ＳＳブロックに基づいてＵＥによって実行することができる動作は、２つのタイプのＳＳブロック（または２つのタイプのＳＳブロック位置上で受信されたＳＳブロック）について異なる。例えば、非ビーム固有ＳＳブロック位置は、以前に失敗した場合があるビームについてＵＥがＳＳブロックを送信するためのセカンダリまたは代替リソースを提供することができるのに対し、非ビーム固有ＳＳブロック位置を介して送信されるＳＳブロックは、ＵＥのための使用がより限られている（より制約されている）場合があり、例えば、非ビーム固有ＳＳブロック位置を介して受信されたＳＳブロック（およびＰＳＳ／ＳＳＳ）が、時間−周波数同期およびセル識別等のセル固有の動作のために（例えば、主にセル固有の動作のために、またはセル固有の動作のみのために）用いられ、通常、ビーム固有の動作または特定のために用いられない場合がある（例えば、ビームは通常、非ビーム固有ＳＳブロック位置についてＵＥに知られていない場合があることに起因する）。したがって、例示的な実施態様によれば、受信ＳＳブロックがビーム固有ＳＳブロック位置を介して送信されるか、または非ビーム固有ＳＳブロック位置を介して送信されるかを知る（または決定することができる）ことがＵＥにとって有用であり得る。
【００３７】
例示的な実施態様によれば、ＢＳは、ＳＳブロックがビーム固有ＳＳブロック位置を介して提供されるか、または非ビーム固有ブロック位置を介して提供されるかを示すことができる制御情報（例えば、ＳＳブロック内に含まれる）を送信することができ、それによって、例えばＵＥは、受信ＳＳブロックに基づいてＵＥがいずれの動作を実行することができるか（およびいずれの動作を実行することができないか）を知ることができる。
【００３８】
したがって、例示的な実施態様によれば、ＢＳは、１つまたは複数の非ビーム固有ＳＳブロック位置におけるＳＳブロックの送信を示す制御情報を（例えばＳＳブロック内で、または無線リソース制御／ＲＲＣメッセージ内等で別個に）ＵＥに送信することができる。例えば、複数のＳＳブロック位置の各々がビーム固有ＳＳブロック位置であるかまたは非ビーム固有ＳＳブロック位置であるかを示す、１つまたは複数のビットまたはビットマップ（または他の制御情報）を、ＢＳによって１つまたは複数のＵＥに提供または送信することができる。このため、そのような場合、ＳＳブロック位置のプールが存在することができ、制御情報は、複数のＳＳブロック位置の各々について、ＳＳブロック位置がビーム固有ＳＳブロック位置であるかまたは非ビーム固有ＳＳブロック位置であるかを示すことができる。または、代替的に、ＳＳブロックが非ビーム固有ＳＳブロック位置において送信されることを示す、１つもしくは複数のビットまたは他の制御情報を、ＢＳによって１つまたは複数のＵＥに送信することができる。そのようにして、ＵＥは、示される非ビーム固有ＳＳブロック位置を介してＳＳブロックを受信することを知ることができる（または受信可能であり得る）。
【００３９】
１つの例示的な実施態様において、図３に示すように、ＳＳブロック位置は、ビーム固有位置（例えば、固定またはプライマリＳＳブロック位置）および非ビーム固有（例えば、セカンダリ、または代替、または適時的（ｏｐｐｏｒｔｕｎｉｓｔｉｃ））ブロック位置に分割される。この説明のための例では、論理ＳＳブロック位置４８〜６３は、非ビーム固有ＳＳブロック位置を表す。ＢＳ／ｇＮＢは、ＢＳがビーム掃引（異なるビームにわたる掃引）を行う際に、例えば４８個のビームの各々について、ビーム固有ブロック位置内でＳＳブロックまたはＳＳバーストセットの送信を試行することができる。ＢＳは、ＬＢＴチャネル割り当てがビジーまたは占有チャネルを示したことに起因して、特定のビーム固有ＳＳブロック位置においてＢＳが送信することが不可能であったＳＳブロックを送信するために非ビーム固有（例えば、セカンダリまたは適時的）ＳＳブロック位置を用いることができる。換言すれば、ＬＢＴチャネル評価がビジーまたは占有チャネルを示すことに起因して特定のＳＳブロックがドロップされる必要がある（送信不可能である）とき、ＢＳ／ｇＮＢは、失敗したビーム（ＳＳブロックがＬＢＴに起因して送信されなかったビーム）を用いてＳＳブロックを送る／送信するために、非ビーム固有ＳＳブロック位置のうちの１つ（または複数）の時間−周波数リソースを用いることができる。このため、ＢＳは、非ビーム固有ＳＳブロック位置のうちの１つを介して（失敗した）ビームを適用することによって、ＳＳブロックを送信することができる。
【００４０】
ＵＥがビーム固有ＳＳブロック位置においてＳＳブロックを検出しないとき、ＵＥは、ＳＳブロック送信が失敗したと想定することができ、ＵＥは、追加のＳＳブロック送信について非ビーム固有（セカンダリまたは適時的）ＳＳブロック位置リソースを監視することができる。上述したように、例示的な実施態様では、これらの非ビーム固有ＳＳブロック位置は、少なくともいくつかの場合、セル固有の特定（例えば、時間−周波数同期およびセル識別）のみを促進し、ランダムアクセス／ＰＲＡＣＨリソース特定または関連付けおよびビーム測定（および／または他のビーム固有情報）等のビーム固有の特定を促進しない場合がある（そのようなＳＳブロックのためのビームが必ずしもＵＥによって知られていないことに起因する）。
【００４１】
説明のための例示的な実施態様において、現在のＳＳブロック位置（６４まで）をビーム固有（またはプライマリまたは固定）ＳＳブロック位置としてのみ用いることができる。この実施形態によれば、非ビーム固有ＳＳブロック位置は、最後のビーム固有（またはプライマリまたは固定）ブロック位置の後に位置する追加の時間−周波数リソースとして（６４個のビーム固有ＳＳブロック位置に加えて）用いられる。上述したように、非ビーム固有（セカンダリまたは適時的または代替）ＳＳブロック位置のうちの１つを介して受信されたブロックのＳＳの機能が限られている場合がある。
【００４２】
例えば、ＵＥがＳＳブロックを測定し、最良または最強のビームを選択し、次に対応するＲＡリソースを選択し、次にＵＥが最強のビームに関連付けられたＲＡリソース上で、その最強のビームの選択を示すＲＡプリアンブルを送信する、ビーム形成されたＳＳブロック送信について、例えば、（ビーム固有ＳＳブロック位置について等の）いくつかの場合、ランダムアクセス（ＲＡ）リソースとビーム（またはビーム固有ＳＳブロック位置）との間に関連付けが存在することができる。しかしながら、例示的な実施態様によれば、ランダムアクセス（ＲＡ）リソースと非ビーム固有ＳＳブロック位置との間に関連付けが存在しない。このため、例示的な実施態様では、非ビーム固有ＳＳブロック位置を介して受信されるＳＳブロックは、通常、例えば、対応するＲＡリソースを特定するのに用いることができない。
【００４３】
ビーム固有ＳＳブロック位置を介して送信されるＳＳブロックは、ビーム測定（例えば、ビームのためのＰＳＳ／ＳＳＳ信号のＲＳＲＰベースのビーム測定）のためにも用いることができるが、非ビーム固有ＳＳブロック位置を用いて行うことはできない。１つの説明のための例では、ビーム固有ＳＳブロック位置よりも少ない非ビーム固有ＳＳブロック位置が存在する場合がある。このため、非ビーム固有ＳＳブロック位置とビームとの間に１対１のマッピングが存在しない場合がある。結果として、ビームごとに非ビーム固有ＳＳブロック位置が存在しない場合がある。非ビーム固有ＳＳブロックを介してＳＳブロックを受信する場合、ＵＥは、そのビームのためのＰＳＳ／ＳＳＳを測定することができるが、例えば、ＵＥは、この測定がいずれのビームについてのものであるかを知らない場合がある。
【００４４】
ビーム固有および非ビーム固有ＳＳブロック位置のいずれかを介して送信されたＳＳブロックは、時間−周波数同期、およびセル識別（例えば、セルＩＤ：合わせて物理セルＩＤを伝達する、ＰＳＳおよびＳＳＳの一部として符号化された物理セルＩＤが存在する）のために用いることができる。これらは、セル固有の機能または動作（ビーム固有ではない）とみなすことができ、結果として、これらの機能は、ＵＥによって、ビーム固有（固定またはプライマリ）ＳＳブロック位置および非ビーム固有（例えば、セカンダリ、代替、または適時的）ＳＳブロック位置の双方について行うことができる。
【００４５】
非ビーム固有ＳＳブロック位置は、例えば、専用上位層シグナリングを用いてＵＥに示すことができる。例えば、ＵＥは、サービングセルを介してネットワーク／ＢＳに接続することができ、別のセルのためのＳＳブロックに関する情報を求めている。ＢＳは、ＲＲＣ（無線リソース制御）メッセージをＵＥに提供し、ＵＥに、この別のセルに（二重接続性の一部として）接続するように命令することができ、ＢＳは、この別のセルによって送信されるいずれのＳＳブロック（ブロック位置）がビーム固有であるのか、およびこの別のセルについていずれのＳＳブロック（ブロック位置）が非ビーム固有であるのかを示すビットマップを提供することができる。または、ＢＳは、共通（ブロードキャスト）上位層シグナリング（ＰＢＣＨおよび／またはＲＭＳＩの残りの最小システム情報）を用いることができる。このシグナリングは、ＰＤＣＣＨ（物理ダウンリンク制御チャネル：ｐｈｙｓｉｃａｌ  ｄｏｗｎｌｉｎｋ  ｃｏｎｔｒｏｌ  ｃｈａｎｎｅｌ）において、および／またはＰＤＳＣＨ（物理ダウンリンク共有チャネル：ｐｈｙｓｉｃａｌ  ｄｏｗｎｌｉｎｋ  ｓｈａｒｅｄ  ｃｈａｎｎｅｌ）を介してブロードキャストされる。
【００４６】
１つの実施形態において、ＵＥに、検出されたＳＳブロックがビーム固有ＳＳブロック位置において提供されるのか、または非ビーム固有ＳＳブロック位置において提供されるのかを示すためにＳＳブロック内に提供することができる追加のシグナリング要素（または制御情報）が存在する。前者の場合、ＵＥは、ＳＳブロックによって提供されるタイミング情報からＳＳブロックビームインデックスを特定することができる（ＰＢＣＨ  ＤＭＲＳがＳＳブロックインデックスの一部を搬送し、ＰＢＣＨペイロードがＳＳブロックインデックスの残りの部分を搬送した）。後者の場合、ＵＥは、ＳＳブロックが非ビーム固有ＳＳブロック位置を介して適時的に送信されると決定し（例えば、このビームのためのＳＳブロックの以前の送信が失敗している場合）、ＳＳブロックを、セル識別、時間および周波数同期等のセル関連動作にのみ用いる。
【００４７】
ＳＳブロックのためのビーム固有／非ビーム固有の指示を提供するシグナリング（または制御情報）は、例えば、説明のための例として、以下のうちの１つまたは複数として提供することができる。
【００４８】
１）複数の同期信号ブロック位置の各々がビーム固有同期信号ブロック位置であるかまたは非ビーム固有同期信号ブロック位置であるかを示す１つまたは複数のビット（例えば、ビットマップ等）。この１つまたは複数のビットは、例えば、ＲＭＳＩ（残りの最小システム情報）を介してもしくはＲＭＳＩに含めて提供することができるか、または無線リソース制御（ＲＲＣ）メッセージもしくはシグナリングを介して提供することができる（例えば、アンライセンススペクトルの場合等）。
【００４９】
２）送信される同期信号ブロックの一部である復調基準信号（ＤＭＲＳ）要素が、送信される同期信号ブロックがビーム固有同期信号ブロック位置を介して提供されるか、または非ビーム固有同期信号ブロック位置を介して提供されるかを示すコードと乗算される。例えば、コードは、第１のコード［１  １］または第２のコード［１  −１］を含むことができ、ここで、異なるコードを用いて、ビーム固有ＳＳブロック位置と非ビーム固有ＳＳブロック位置とを区別することができる。
【００５０】
３）ＰＢＣＨ  ＤＭＲＳ系列が、ビーム固有または非ビーム固有ＳＳブロックを示す追加の１ビット情報によって初期化される（ＢＳは、ＳＳブロックインデックスおよびビーム固有／非ビーム固有の指示を用いてＤＭＲＳ系列を初期化することができる）。ＤＭＲＳは、２つのＭ系列を含むゴールド系列とすることができ、Ｍ系列ごとに、特定の初期化定式が存在し、初期化定式は、特定の入力を用いて定義することができ、このため、ＤＭＲＳ系列は、その初期化に基づいて変更され、初期化に用いられる入力のうちの１つは、セルＩＤ、ＳＳブロックインデックス、およびビーム固有／非ビーム固有ＳＳブロック位置の指示を含むことができる。
【００５１】
４）送信される同期信号ブロックが、ビーム固有同期信号ブロック位置を介して提供されるのか、または非ビーム固有同期信号ブロック位置を介して提供されるのかを示すために、ハーフフレームタイミングビット（ｈａｌｆ−ｆｒａｍｅ  ｔｉｍｉｎｇ  ｂｉｔ：半フレームタイミングビット）が再利用される。ライセンススペクトルにおいて用いられ、ＰＢＣＨペイロードにおいて搬送される１ビットのハーフフレームタイミング情報が、アンライセンススペクトルにおいて、ＳＳブロックタイプ（ビーム固有または非ビーム固有）を示すのに用いられる。これは、５ｍｓのＳＳバーストセット周期性がアンライセンススペクトルにおいてサポートされていないことを必要とする（低速度ターゲット環境に起因して必要ないとみなされる）。ＰＢＣＨは、フレームタイミングを示す１ビット情報を搬送することができ、これは、ＰＢＣＨ（ＳＳブロックを含む）が無線フレームの最初の５ｍｓの間に送信されるか、または無線フレームの最後の５ｍｓの間に送信されるかを示す。１つの可能性として、アンライセンス使用は５ｍｓのＳＳバーストセット周期性をサポートせず（要求もせず）、（以前にＰＢＣＨのためのフレームタイミングを示すために用いられていた）１ビットをここで再利用して、ビーム固有または非ビーム固有ＳＳブロック位置を示すことができる。
【００５２】
１つの例示的な実施態様において、ＰＢＣＨを伝達することも含むこともできず、ＰＳＳおよびＳＳＳ信号のうちの少なくとも１つを含むことができるＳＳブロックの一部分等の、ＳＳブロックの一部分（かつ全てよりは少ない）のみを非ビーム固有ブロック位置において送信することができる。このようにして、ＰＳＳおよび／またはＳＳＳ信号等のＳＳブロックの少なくとも一部分が、時間−周波数同期および／またはセル識別のためにＵＥに提供される。少なくともいくつかの場合、非ビーム固有ＳＳブロック位置を介して送信されるＳＳブロックについて、ＳＳブロックの１つまたは複数の他の部分は、この説明のための例において省くことができる。
【００５３】
１つの実施形態において、上述した非ビーム固有（または適時的）ＳＳブロック位置は、「前方互換性」リソースセット（予約済み）として暗黙的に構成される。ＢＳ／ｇＮＢは、対応するＰＤＳＣＨをスケジューリングするＰＤＣＣＨ  ＤＣＩにおいて、ＰＤＳＣＨ割り当てがリソースセットと重複する場合、ＰＤＳＣＨがリソースセットの周りでレートマッチングされているか否かを示すことができる。ＢＳ／ｅＮＢとＲＲＣ接続またはデータ接続を有するＵＥについて、ＵＥは、いずれの位置が非ビーム固有位置であるかを知るかまたは決定することができるが、ＵＥは、いずれの非ビーム固有ＳＳブロック位置がＳＳブロックの送信のために特定の時間に用いられることになるかを知らない（このため、例えば制御情報がこの情報を伝達することができる）。ＢＳがＰＤＣＣＨをスケジューリングし、割り当てが時間および／または周波数リソースにおける可能な非ビーム固有ＳＳブロック位置と重複するかまたはこれに隣接するとき、ＢＳは、ＰＤＣＣＨ（ＤＣＩ）を通じて送信されるスケジューリングコマンドにおいて、ＰＤＳＣＨがＳＳブロック割り当ての周りでレートマッチングされているか否かを示すことができる。ＢＳがＵＥをスケジューリグするとき、ＢＳは、この非ビーム固有ＳＳブロック位置のリソースを用いるか否かを示す。これらの非ビーム固有ＳＳブロックリソースがＳＳブロック送信のために用いられない場合、これらのＳＳブロック位置リソースは、ＰＤＳＣＨを通じたＤＬデータ送信のために用いることができる（例えば、これらのＳＳブロック位置リソースは、ＤＬデータ送信のために用いられる時間−周波数リソースに隣接している場合があり、これらのＤＬデータ送信リソースは、使用されていないＳＳブロック位置リソースを用いることにより増大する場合があるため）。ＢＳは、ＤＣＩ（ダウンリンク制御情報）において、ＤＬデータが、非ビーム固有（代替またはセカンダリまたは適時的）ＳＳブロック位置のためのリソースの周り（または付近）で送信されるか否か（時間または周波数において隣接し得る）を示すことができる。この場合、ＢＳは、この非ビーム固有位置においてＳＳブロックを送信することができる（またはこのリソースをデータのために用いることができる）可能性を保留する。
【００５４】
例示的なＵＥ手順：ＵＥは、ビーム固有ＳＳブロック位置において、ＳＳブロックを検出しようとし、次に、時間−周波数の同期を取得／追跡し、（特殊なビームについて）Ｌ１−ＲＳＲＰ測定を行い、ＳＳブロックビーム強度を特定する。ＵＥは、特に、特定のＳＳブロック送信が省かれた（例えば、以前の最強ビームまたは以前のＮ個の最強ビームのうちの１つに関連付けられたＳＳブロックが、省かれたかまたはビーム固有ＳＳブロック位置を介して受信されなかった）と決定する場合、非ビーム固有ＳＳブロック位置の検出を試みることができる。ＵＥが非ビーム固有ＳＳブロック位置を介したＳＳブロックを検出する場合、ＵＥは、例えば受信したＰＳＳ／ＳＳＳ信号に基づいて、セル固有の動作または特定のために、例えば、時間−周波数同期および／またはセル識別のためにこのＳＳブロックを用いることができる。
【００５５】
非ビーム固有ＳＳブロック位置が「未来の互換性」リソース（暗黙的にＵＥによって構成される）とみなされる場合、ＵＥは、ＰＤＳＣＨ割り当てがこれらのリソースと重複または隣接している場合、ＰＤＣＣＨ  ＤＣＩから、対応するＰＤＳＣＨが特定の非ビーム固有ＳＳブロック位置（すなわち、「未来の互換性」リソース）の周りでレートマッチングされているか否かを決定する必要がある。ＢＳは、非ビーム固有ブロック位置のためのリソースが予約済みであることを示すことができ、ＵＥがＤＬデータを受信するとき、ＵＥは、これらの非ビーム固有ＳＳブロック位置リソースに何らかのデータ（ＰＤＳＣＨ）が存在すると想定しない。ＢＳは、ＤＣＩにおいて、時間または周波数において送信データと隣接している非ビーム固有ＳＳブロック位置が送信のために予約済みである（ＢＳによってデータまたはＳＳブロックの送信のために用いられ得る）か否かを示す。
【００５６】
このため、例えば、１つの例示的な実施態様において、ＢＳは、非ビーム固有ＳＳブロック位置リソースがこのＢＳ  ＤＬ送信のために予約済みであるか否かを示すことができ、ＢＳが、これらの非ビーム固有位置リソースが予約済みであることを示す場合、これは、データがこれらのＳＳブロック位置リソース上で送信されず、ＳＳブロックがこれらの非ビーム固有位置リソース上で送信され得ることを示す。
【００５７】
例示的なＢＳ／ｇＮＢ手順：ＢＳ／ｇＮＢは、少なくとも１つのＵＥおよび／または少なくとも１つのセルについて非ビーム固有ＳＳブロック位置を構成する（上記の、この情報を伝達するのに用いることができる様々な例示的な制御情報を参照されたい）：
ＢＳ／ｇＮＢは、少なくとも１つのＳＳブロックが、少なくとも１つのビームを用いて送信される必要があると決定する；
ＢＳ／ｇＮＢは、少なくとも１つのビームを用いて少なくとも１つのチャネル検知（ＬＢＴ）を行う；
少なくとも１つの第１のビームにおいてＬＢＴポジティブ（チャネルが利用可能）：少なくとも１つの第１のビームおよびビーム固有ブロック位置を用いてＳＳブロックを送信する；
ビーム固有ＳＳブロック位置において送信しようと試みているとき、少なくとも１つの第２のビームにおいてＬＢＴネガティブ（チャネルが占有されている）；
少なくとも１つのＳＳブロックが、少なくとも１つの非ビーム固有ＳＳブロック位置において少なくとも１つの第２のビームを用いて送信される必要があると決定する；
ＬＢＴが少なくとも１つの第２のビームにおいてポジティブである（チャネルがビジーでない）場合：少なくとも１つの非ビーム固有ＳＳブロック位置において少なくとも１つの第２のビームを用いてＳＳブロックを送信する；
ＬＢＴが少なくとも１つの第２のビームにおいてネガティブである（チャネルがビジーである）場合：少なくとも１つの非ビーム固有ＳＳブロック位置における少なくとも１つの第２のビームにおけるＳＳブロック送信を省く。
【００５８】
例えば、ＢＳ／ｇＮＢは、ビーム数がＳＳブロック位置の最大数の半分（またはそれ未満）であるとき、同じビームについて複数のビーム固有ＳＳブロック位置を用いることができ、ネガティブＬＢＴ（チャネルがビジーである）がそのビームの全てのビーム固有ＳＳブロック位置に見られるときにのみ、非ビーム固有ＳＳブロック位置に頼ることに留意するべきである。ビーム固有ＳＳブロック位置内で、ＢＳは、その１ビームにおいてＳＳブロックを送信することを複数回試みることができる。非ビーム固有ＳＳブロック位置において、関連付けられるかまたは割り当てられたビームは存在せず、このため、例えば非ビーム固有ＳＳブロックをビーム識別のために用いることができない。また、ＢＳ／ｇＮＢがＳＳブロックを非ビーム固有ＳＳブロック位置において送信する必要がないとき、その非ビーム固有ＳＳブロック位置の無線リソースを、ＢＳによって、他の目的で、例えば（例えばＰＤＣＣＨおよびＰＤＳＣＨを介した）データの送信のために用いることができる。
【００５９】
いくつかの例示的な利点
ＵＥは、時間−周波数同期を取得および維持し、アンライセンススペクトルで動作しているとき、ＳＳブロックがＬＢＴ（ビジーチャネル）に起因してビーム固有ＳＳブロック位置において送信されない場合であっても、非ビーム固有（例えば、セカンダリまたは代替または適時的）ＳＳブロック位置を用いることにより、時間−周波数追跡およびセル識別を行うことができる；
解決策は、ＮＲによってサポートされる任意の数のビームにスケーリングされる；
解決策は、（ＳＳブロック）オーバヘッドが低い；および／または、
解決策は、ＵＥ複雑度が低い（ビーム管理等への影響がない）。
【００６０】
図４は、例示的な実施態様によるシステムの動作を示す図である。ＵＥ４１０は、ＢＳ４１２と接続されるかまたは通信することができる。
【００６１】
４２０において、ＢＳは、ＬＢＴチャネル評価を行い、ビームに関連付けられたビーム固有ＳＳブロック位置に割り当てられるかまたはこのビーム固有ＳＳブロック位置に関連付けられた時間−周波数リソースについてチャネルがビジーであるか否かを決定することができる。図４には示されていないが、ＬＢＴチャネル評価が、ビームのためのビーム固有ＳＳブロック位置のリソースについて利用可能なチャネルを示す場合、ＢＳは、このビームのための（またはこのビームに関連付けられた）このビーム固有ＳＳブロック位置の間にＳＳブロックを送信することができる。他方で、ＬＢＴチャネル評価が、ビーム固有ＳＳブロック位置の時間−周波数リソースについてチャネルがビジーであるかまたは占有されていることを示す場合、ＢＳ４１２は、そのビームのためのビーム固有ＳＳブロック位置において、そのビームのためのＳＳブロックを送信することができない（チャネルがビジーであるかまたは別の送信無線ノードによって占有されていることに起因する）。このため、チャネルがビジーであるそのような場合、ＢＳ４１２は、そのビームのためのビーム固有ＳＳブロック位置の（利用不可能な）時間−数端数リソースにおけるＳＳブロックの送信を省く。
【００６２】
４２２において、ＵＥは、ＵＥがビームに関連付けられたビーム固有ＳＳブロック位置についてＳＳブロックを受信することが不可能である（または受信しない）と決定することができる。
【００６３】
４２４において、ＢＳ４１２は、別のＬＢＴチャネル評価を行い、チャネルが非ビーム固有ＳＳブロック位置の時間−周波数リソースについてビジーでない（占有されていない）と決定し、このため、ＢＳが利用可能な非ビーム固有ＳＳブロック位置を介してビームのためのＳＳブロックを送信することができると決定する。また、４２４において、ＢＳ４１２は、ＬＢＴチャネル評価を行い、チャネルが非ビーム固有ＳＳブロック位置の時間−周波数リソースについてビジーであるかまたは占有されていると決定する場合、（ＢＳ４１２がＬＢＴチャネル評価を繰り返して、次のまたは後続の非ビーム固有ＳＳブロックが、ＢＳ４１２によって４２０において失敗したビームのためのＳＳブロックを送信するのに利用可能であるか否かを決定することによって、）次のまたは後続の非ビーム固有ＳＳブロック位置を介して失敗したビームのためのＳＳブロックの送信を試行することができる。
【００６４】
４２６において、ＢＳ４１２は次に、利用可能な非ビーム固有ＳＳブロック位置を介して、ビームのためのＳＳブロックを（ビームを介して）送信する。
【００６５】
４２８において、ＵＥ４１０は、ＢＳから（例えば送信ＳＳブロック内で）ＳＳブロックが非ビーム固有ＳＳブロック位置を介して送信されることを示す制御情報を受信することができる。また、いくつかの場合、動作４２８は、非ビーム固有ブロック位置を介したＳＳブロックの送信の前に行うことができる。例えば、ＳＳブロックが非ビーム固有ＳＳブロック位置を介して送信されるかまたは送信されることになることを示す制御情報を、送信ＳＳブロック内でもしくは送信ＳＳブロックの一部として提供することができるか、またはＢＳ４１２によって、別個のメッセージもしくは別個の制御情報として、もしくはそれらのメッセージもしくは制御情報内で送信することができる（例えば、制御情報はＳＳブロックと別個に送ることができる）。
【００６６】
４３０において、ＵＥ４１０は制御情報を受信し、非ビーム固有ＳＳブロック位置を介してＳＳブロックも受信する。
【００６７】
例１：図５は、例示的な実施態様による基地局の動作を示すフローチャートである。動作５１０は、無線ネットワーク内の基地局によって、基地局が、ビームに関連付けられたビーム固有同期信号ブロック位置を介してビームのための同期信号ブロックを送信することが不可能であったと決定することを含む。動作５２０は、基地局によって、決定に応じて、ビームのための同期信号ブロックを、非ビーム固有同期信号ブロック位置を介して送信することを含む。そして、動作５３０は、基地局によって、非ビーム固有同期信号ブロック位置を介した同期信号ブロックの送信を示す制御情報を送信することを含む。
【００６８】
例２：例１の方法の例示的な実施態様によれば、制御情報を送信することは、基地局によって、非ビーム固有同期信号ブロック位置を介した同期信号ブロックの送信を示す制御情報を、送信される同期信号ブロック内でまたは送信される同期信号ブロックの一部として送信することを含む。
【００６９】
例３：例１〜２のいずれかの方法の例示的な実施態様によれば、制御情報を送信することは、基地局によって、非ビーム固有同期信号ブロック位置を介した同期信号ブロックの送信を示す制御情報を、送信される同期信号ブロックと別個に送信することを含む。
【００７０】
例４：例１〜３のいずれかの方法の例示的な実施態様によれば、同期信号ブロックを送信することは、基地局によって、決定に応じて、ビームのための同期信号ブロックを、いずれのビームにも関連付けられておらず、割り当てられてもいない複数の非ビーム固有同期信号ブロック位置のうちの１つの非ビーム固有同期信号ブロック位置を介して送信することを含む。
【００７１】
例５：例１〜４のいずれかの方法の例示的な実施態様によれば、基地局がビーム固有同期信号ブロック位置を介してビームのための同期信号ブロックを送信することが不可能であったと決定することは、無線チャネルのリスンビフォートーク（ＬＢＴ）評価を行うことと、ＬＢＴ評価に基づいて、無線チャネルがビーム固有同期信号ブロック位置についてビジーであるかまたは占有されていると決定することであって、ビーム固有同期信号ブロック位置は、時間−周波数リソースのセットを含むこととを含む。
【００７２】
例６：例１〜５のいずれかの方法の例示的な実施態様によれば、基地局によって、決定に応じて、ビームのための同期信号ブロックを、非ビーム固有同期信号ブロック位置を介して送信することは、無線チャネルのリスンビフォートーク（ＬＢＴ）評価を行うことと、ＬＢＴ評価に基づいて、無線チャネルが非ビーム固有同期信号ブロック位置についてビジーでなく、占有されてもいないと決定することと、基地局によって、ビームのための同期信号ブロックを、非ビーム固有同期信号ブロック位置を介して送信することとを含む。
【００７３】
例７：例１〜６のいずれかの方法の例示的な実施態様によれば、ビーム固有同期信号ブロック位置はビームに関連付けられるかまたは割り当てられ、非ビーム固有同期信号ブロック位置はいずれのビームにも関連付けられておらず、割り当てられてもいない。
【００７４】
例８：例１〜７のいずれかの方法の例示的な実施態様によれば、ビーム固有同期信号ブロック位置は、永久的にまたは半静的にビームに関連付けられるかまたは割り当てられる。
【００７５】
例９：例１〜８のいずれかの方法の例示的な実施態様によれば、非ビーム固有同期信号ブロック位置を介して送信される同期信号ブロックは、時間−周波数同期を含む初期システム取得、時間−周波数同期の追跡、および、セル識別のうちの少なくとも１つのために提供される。
【００７６】
例１０：例１〜９のいずれかの方法の例示的な実施態様によれば、非ビーム固有同期信号ブロック位置を介して送信される同期信号ブロックは、ビームのためのランダムアクセスリソースの特定、および、ビーム測定のうちの少なくとも１つのために提供されない。
【００７７】
例１１：例１〜１０のいずれかの方法の例示的な実施態様によれば、同期信号ブロックは、プライマリ同期信号（ＰＳＳ）、セカンダリ同期信号（ＳＳＳ）、物理ブロードキャスト制御チャネル（ＰＢＣＨ）、および復調基準信号（ＤＭＲＳ）のうちの少なくとも１つを含む。
【００７８】
例１２：例１〜１１のいずれかの方法の例示的な実施態様によれば、非ビーム固有同期信号ブロック位置を介した同期信号ブロックの送信を示す制御情報は、複数の同期信号ブロック位置の各々がビーム固有同期信号ブロック位置であるかまたは非ビーム固有同期信号ブロック位置であるかを示す１つまたは複数のビットと、送信される同期信号ブロックが、ビーム固有同期信号ブロック位置を介して提供されるか、または非ビーム固有同期信号ブロック位置を介して提供されるかを示すコードと乗算された、送信される同期信号ブロックの一部である復調基準信号要素と、送信される同期信号ブロックが、ビーム固有同期信号ブロック位置を介して提供されるか、または非ビーム固有同期信号ブロック位置を介して提供されるかを示すために再利用されるハーフフレームタイミングビットとのうちの少なくとも１つを含む。
【００７９】
例１３：例１２の方法の例示的な実施態様によれば、コードは第１のコード［１  １］または第２のコード［１  −１］を含む。
【００８０】
例１４：少なくとも１つのプロセッサと、コンピュータ命令を含む少なくとも１つのメモリとを備える装置であって、コンピュータ命令は、少なくとも１つのプロセッサによって実行されると、装置に、無線ネットワーク内の基地局によって、基地局が、ビームに関連付けられたビーム固有同期信号ブロック位置を介してビームのための同期信号ブロックを送信することが不可能であったと決定することと、基地局によって、決定に応じて、ビームのための同期信号ブロックを、非ビーム固有同期信号ブロック位置を介して送信することと、基地局によって、非ビーム固有同期信号ブロック位置を介した同期信号ブロックの送信を示す制御情報を送信することとを行わせる、装置。
【００８１】
例１５：図６は、例示的な実施態様によるユーザデバイスの動作を示すフローチャートである。動作６１０は、ユーザデバイスによって、同期信号ブロックを受信することを含む。動作６２０は、ユーザデバイスによって、同期信号ブロックが、ビームに関連付けられたビーム固有同期信号ブロック位置を介して受信されたか、または非ビーム固有同期信号ブロック位置を介して受信されたかを決定することを含む。そして、動作６３０は、同期信号ブロックがビーム固有同期信号ブロック位置を介して受信された場合にのみ第１の動作を実行することを含む。
【００８２】
例１６：例１５の方法の例示的な実施態様によれば、実行することは、同期信号ブロックがビームに関連付けられたビーム固有同期信号ブロック位置を介して受信された場合、同期信号ブロックに基づいたビームのためのランダムアクセスリソース特定、および同期信号ブロックに基づいたビームのためのビーム測定のうちの少なくとも１つを実行することを含む。
【００８３】
例１７：例１５〜１６のいずれかの方法の例示的な実施態様によれば、同期信号ブロックが、ビームに関連付けられたビーム固有同期信号ブロック位置を介して受信されたか、または非ビーム固有同期信号ブロック位置を介して受信されたかに関わらず、時間−周波数同期、およびセル識別のうちの少なくとも１つを実行することを更に含む。
【００８４】
例１８：例１５〜１７のいずれかの方法の例示的な実施態様によれば、同期信号ブロックが、ビームに関連付けられたビーム固有同期信号ブロック位置を介して受信されたか、または非ビーム固有同期信号ブロック位置を介して受信されたかを決定することは、ユーザデバイスによって、同期信号ブロック内でまたは同期信号ブロックの一部として、非ビーム固有同期信号ブロック位置を介した同期信号ブロックの送信を示す制御情報を受信することと、ユーザデバイスによって、同期信号ブロックと別個に、非ビーム固有同期信号ブロック位置を介した同期信号ブロックの送信を示す制御情報を受信することとのうちの少なくとも１つを含む。
【００８５】
例１９：少なくとも１つのプロセッサと、コンピュータ命令を含む少なくとも１つのメモリとを備える装置であって、コンピュータ命令は、少なくとも１つのプロセッサによって実行されると、装置に、ユーザデバイスによって、同期信号ブロックを受信することと、ユーザデバイスによって、同期信号ブロックが、ビームに関連付けられたビーム固有同期信号ブロック位置を介して受信されたか、または非ビーム固有同期信号ブロック位置を介して受信されたかを決定することと、同期信号ブロックがビーム固有同期信号ブロック位置を介して受信された場合にのみ第１の動作を実行することとを行わせる、装置。
【００８６】
例２０：図７は、例示的な実施態様による、ユーザデバイスの動作を示すフローチャートである。動作７１０は、無線ネットワーク内のユーザデバイスによって、ユーザデバイスが、ビームに関連付けられたビーム固有同期信号ブロック位置を介してビームのための同期信号ブロックを受信することが不可能であると決定することを含む。動作７２０は、ユーザデバイスによって、複数の非ビーム固有同期信号ブロック位置のうちの１つの非ビーム固有同期信号ブロック位置を介してビームのための同期信号ブロックを受信することを含む。そして動作７３０は、ユーザデバイスによって、同期信号ブロックが非ビーム固有同期信号ブロック位置を介して送信されていることを示す制御情報を受信することを含む。
【００８７】
例２１：例２０の方法の例示的な実施態様によれば、制御情報は、同期信号ブロック内でもしくは同期信号ブロックの一部として受信されるか、または同期信号ブロックと別個に送られる制御情報として受信される。
【００８８】
例２２：少なくとも１つのプロセッサと、コンピュータ命令を含む少なくとも１つのメモリとを備える装置であって、コンピュータ命令は、少なくとも１つのプロセッサによって実行されると、装置に、無線ネットワーク内のユーザデバイスによって、ユーザデバイスが、ビームに関連付けられたビーム固有同期信号ブロック位置を介してビームのための同期信号ブロックを受信することが不可能であると決定することと、ユーザデバイスによって、複数の非ビーム固有同期信号ブロック位置のうちの１つの非ビーム固有同期信号ブロック位置を介してビームのための同期信号ブロックを受信することと、ユーザデバイスによって、同期信号ブロックが非ビーム固有同期信号ブロック位置を介して送信されていることを示す制御情報を受信することとを行わせる、装置。
【００８９】
例２３：例１〜１３、１５〜１８、２０および２１のいずれかの方法を実行するための手段を備える装置。
【００９０】
例２４：少なくとも１つのプロセッサと、コンピュータ命令を含む少なくとも１つのメモリとを備える装置であって、コンピュータ命令は、少なくとも１つのプロセッサによって実行されると、装置に、例１〜１３、１５〜１８、２０および２１のいずれかに記載の方法を実行させる、装置。
【００９１】
例２５：非一時的コンピュータ可読記憶媒体を含み、実行可能コードを記憶するコンピュータプログラム製品を備える装置であって、実行可能コードは、少なくとも１つのデータ処理装置によって実行されると、少なくとも１つのデータ処理装置に、例１〜１３、１５〜１８、２０および２１のいずれかに記載の方法を実行させるように構成される、装置。
【００９２】
図８は、例示的な実施態様による、無線局（例えば、ＡＰ、ＢＳ、中継ノード、ｅＮＢ、ＵＥ、またはユーザデバイス）１０００のブロック図である。無線局１０００は、例えば、１つもしくは２つのＲＦ（無線周波数）または無線トランシーバ１００２Ａ、１００２Ｂを含むことができる。ここで、各無線トランシーバは、信号を送信するための送信機と信号を受信するための受信機とを含む。無線局は、命令またはソフトウェアを実行し、信号の送受信を制御するためのプロセッサまたは制御ユニット／エンティティ（コントローラ）１００４、および、データおよび／または命令を記憶するメモリ１００６も含む。
【００９３】
プロセッサ１００４は、決定または決定を行い、送信用のフレーム、パケット、またはメッセージを生成し、受信したフレームまたはメッセージを更に処理するためにデコードし、本明細書に記載されている他のタスクまたは機能を実行することもできる。例えば、ベースバンドプロセッサであり得るプロセッサ１００４は、無線トランシーバ１００２（１００２Ａまたは１００２Ｂ）を介して送信するためのメッセージ、パケット、フレームまたは他の信号を生成することができる。プロセッサ１００４は、無線ネットワークを通じた信号またはメッセージの送信を制御することができ、そして、（例えば、例として無線トランシーバ１００２によりダウンコンバートされた後に）無線ネットワークを介して、信号またはメッセージ等の受信を制御することができる。プロセッサ１００４は、プログラム可能であり、上記のタスクまたは方法のうちの１つまたは複数等の上記の様々なタスクおよび機能を実行するために、メモリまたは他のコンピュータメディアに記憶されたソフトウェアまたは他の命令を実行することが可能であり得る。プロセッサ１００４は、例えば、ソフトウェアもしくはファームウェア、および／またはこれらの任意の組合せを実行するハードウェア、プログラマブルロジック、プログラマブルプロセッサであり得る（またはこれらを含み得る）。他の用語を使用して、プロセッサ１００４およびトランシーバ１００２は、例えば、無線送信機／受信機システムとみなすことができる。
【００９４】
加えて、図８を参照すると、コントローラ（またはプロセッサ）１００８は、ソフトウェアおよび命令を実行することができ、局１０００の全体的な制御を提供することができ、入出力デバイス（例えば、ディスプレイ、キーパッド）の制御等、図８に示されていない他のシステムの制御を提供することができ、かつ／または、例えば、電子メールプログラム、オーディオ／ビデオアプリケーション、ワードプロセッサ、ボイスオーバーインターネットプロトコル（Ｖｏｉｃｅ  ｏｖｅｒ  ＩＰ）アプリケーション、もしくは他のアプリケーションもしくはソフトウェア等、無線局１０００で提供され得る１つまたは複数のアプリケーションのソフトウェアを実行することができる。
【００９５】
加えて、記憶された命令を含む記憶媒体が提供され得る。コントローラまたはプロセッサによって実行されるとき、これは、上記の機能またはタスクのうちの１つまたは複数を実行するプロセッサ１００４、または他のコントローラもしくはプロセッサとなり得る。
【００９６】
別の例示的な実施態様によると、ＲＦまたは無線トランシーバ１００２Ａ／１００２Ｂは、信号もしくはデータを受信し、かつ／または信号もしくはデータを送信するかもしくは送ることができる。プロセッサ１００４（および場合によってはトランシーバ１００２Ａ／１００２Ｂ）は、信号またはデータを受信し、送り、ブロードキャストし、または送信するために、ＲＦまたは無線トランシーバ１００２Ａもしくは１００２Ｂを制御することができる。
【００９７】
しかしながら、実施形態は、例として与えられているシステムに限定されるものではなく、当業者は他の通信システムに解決策を適用してもよい。適切な通信システムの別の例は、５Ｇコンセプトである。５Ｇのネットワークアーキテクチャが、ＬＴＥ−ａｄｖａｎｃｅｄのネットワークアーキテクチャと非常に類似していることが想定される。５Ｇは、多入力−多出力（ＭＩＭＯ）アンテナ、小規模なステーションと連携して動作するマクロサイトを含むＬＴＥよりもはるかに多くの基地局またはノード（いわゆるスモールセルコンセプト）を使用する可能性が高く、おそらくまた、より良いカバレッジおよび強化されたデータレートのために、様々な無線技術を採用している。
【００９８】
将来のネットワークは、ネットワークノード機能を、「ビルディングブロック」、すなわち、サービスを提供するために動作上接続されるかまたは共にリンクされ得るエンティティに仮想化することを提案するネットワークアーキテクチャの概念であるネットワーク機能仮想化（ＮＦＶ）を利用することができることを理解すべきである。仮想化ネットワーク機能（ＶＮＦ）は、カスタマイズされたハードウェアの代わりに標準または一般的なタイプのサーバーを使用してコンピュータプログラムコードを実行する１つまたは複数の仮想マシンを含むことができる。クラウドコンピューティングまたはデータ記憶も利用することができる。無線通信において、これは、少なくとも部分的には、リモートラジオヘッドに動作上結合されたサーバー、ホスト、またはノード内で、ノード動作が実行され得ることを意味することができる。ノード動作は、複数のサーバー、ノード、またはホストに分散され得ることも可能である。コアネットワーク運用と基地局運用との間の労働の分配は、ＬＴＥとは異なる場合があり、存在しない場合もあることもまた理解するべきである。
【００９９】
ここに記載されている様々な技術の実装は、デジタル電子回路、またはコンピュータのハードウェア、ファームウェア、ソフトウェアで、またはそれらの組合せで実装することができる。実装は、コンピュータプログラム製品として、すなわち、データ処理装置、例えば、プログラム可能なプロセッサ、コンピュータ、または複数のコンピュータによる実行のために、またはそれらの動作を制御するために、情報担体内、例えば、機械可読記憶デバイス内、または伝播信号内に有形に組み込まれたコンピュータプログラムとして実装することができる。実装は、非一時的な媒体である可能性があるコンピュータ可読媒体またはコンピュータ可読記憶媒体で提供され得る。様々な技法の実装は、一時的な信号または媒体を介して提供される実装、ならびに／または、インターネットもしくは有線ネットワークおよび／もしくは無線ネットワークのいずれかの他のネットワークを介してダウンロード可能なプログラムおよび／もしくはソフトウェア実装も含むことができる。加えて、実装は、マシンタイプ通信（ＭＴＣ）を介して、また、モノのインターネット（ＩＯＴ）経由でも提供され得る。
【０１００】
コンピュータプログラムは、ソースコード形式、オブジェクトコード形式、または何らかの中間形式をとることができ、プログラムを搬送することができる任意のエンティティまたはデバイスであり得る、或る種のキャリア、配布媒体またはコンピュータ可読媒体に記憶され得る。このようなキャリアは、例えば、記録媒体、コンピュータメモリ、読出し専用メモリ、光電および／または電気搬送信号、通信信号、ソフトウェア配布パッケージを含む。必要な処理能力に応じて、コンピュータプログラムは、単一の電子デジタルコンピュータで実行されてもよく、または、複数のコンピュータに分散されてもよい。
【０１０１】
更に、ここに記載されている様々な技術の実装は、サイバー物理システム（ＣＰＳ：ｃｙｂｅｒ−ｐｈｙｓｉｃａｌ  ｓｙｓｔｅｍ）（物理エンティティを制御する計算要素の協働システム）を使用することができる。ＣＰＳは、様々な場所の物理オブジェクトに埋め込まれた大量の相互接続されたＩＣＴデバイス（センサー、アクチュエーター、プロセッサマイクロコントローラ等）の実装および活用を可能にすることができる。モバイルサイバー物理システムは、当該物理システムに固有の可動性があり、サイバー物理システムのサブカテゴリである。モバイル物理システムの例は、人間または動物によって運ばれるモバイルロボット工学および電子機器を含む。スマートフォンの人気の高まりにより、モバイルサイバー物理システムの分野に関心が高まっている。したがって、本明細書で説明する技法の様々な実装は、これらの技術のうちの１つまたは複数を介して提供することができる。
【０１０２】
上記のコンピュータプログラム等のコンピュータプログラムは、コンパイルまたは解釈された言語を含む任意の形式のプログラミング言語で記述することができ、スタンドアロンプログラムとして、またはモジュール、コンポーネント、サブルーチンとして、または、コンピューティング環境での使用に適した他のユニットまたはその一部として展開することを含めて、任意の形式で展開することができる。１つのコンピュータまたは１つのサイトの複数のコンピュータ上で、または、複数のサイトに分散し、通信ネットワークで相互接続されて、コンピュータプログラムを展開して実行することができる。
【０１０３】
方法のステップは、１つまたは複数のプログラマブルプロセッサによって、コンピュータプログラムまたはコンピュータプログラム部分を実行して、入力データに対し動作して出力を生成することにより、機能を実行することができる。方法のステップはまた、専用論理回路、例えば、ＦＰＧＡ（フィールドプログラマブルゲートアレイ）またはＡＳＩＣ（特定用途向け集積回路）によって実行することができ、装置はこの専用論理回路として実装することができる。
【０１０４】
コンピュータプログラムの実行に適したプロセッサは、例として、汎用および専用マイクロプロセッサの両方、あらゆる種類のデジタルコンピュータ、チップ、またはチップセットの１つまたは複数のプロセッサを含む。一般的に、プロセッサは、読出し専用メモリもしくはランダムアクセスメモリ、またはその両方から命令およびデータを受信する。コンピュータの要素は、命令を実行するための少なくとも１つのプロセッサと、命令およびデータを記憶するための１つまたは複数のメモリデバイスとを含むことができる。一般的に、コンピュータはまた、データの受信、転送、またはその両方のために、データを記憶するための１つまたは複数の大容量記憶装置、例えば、磁気、光磁気ディスク、または光ディスクを含むか、またはこれらに動作上結合され得る。コンピュータプログラムの命令およびデータを具体化するのに適した情報媒体は、例として、半導体メモリデバイス、例えば、ＥＰＲＯＭ、ＥＥＰＲＯＭおよびフラッシュメモリデバイス、磁気ディスク、例えば、内蔵ハードディスクまたはリムーバブルディスク、光磁気ディスク、ならびに、ＣＤ−ＲＯＭおよびＤＶＤ−ＲＯＭディスクを含む、全ての形式の不揮発性メモリを含む。プロセッサおよびメモリは、専用論理回路によって補完されるか、または組み込まれ得る。
【０１０５】
ユーザとの対話を提供するために、実装は、ユーザに情報を表示するための表示デバイス、例えば、ブラウン管（ＣＲＴ）または液晶ディスプレイ（ＬＣＤ）モニタと、ユーザがコンピュータに入力を提供することができるキーボードおよびポインティングデバイス、例えば、マウスまたはトラックボール等のユーザインターフェースとを有するコンピュータ上で実装できる。他の種類のデバイスを使用して、ユーザとの対話を提供することもできる。例えば、ユーザに提供されるフィードバックは、任意の形式の感覚フィードバック、例えば、視覚フィードバック、聴覚フィードバック、または触覚フィードバックとすることができ、ユーザからの入力は、音響、音声、または触覚入力を含む任意の形式で受信できる。
【０１０６】
実装は、例えばデータサーバーとしてバックエンドコンポーネントを含むか、または、ミドルウェアコンポーネント、例えばアプリケーションサーバーを含むか、または、例えば、ユーザが実装と対話できるグラフィカルユーザインターフェースもしくはウェブブラウザを有するフロントエンドコンポーネント、例えばクライアントコンピュータを含むか、または、そのようなバックエンド、ミドルウェアもしくはフロントエンドコンポーネントの任意の組合せを含むコンピューティングシステムで実装することができる。コンポーネントは、デジタルデータ通信の任意の形式または媒体、例えば、通信ネットワークで相互接続することができる。通信ネットワークの例は、ローカルエリアネットワーク（ＬＡＮ）およびワイドエリアネットワーク（ＷＡＮ）、例えばインターネットを含む。
【０１０７】
説明された実施態様の特定の機能が、本明細書に記載のように説明されたが、当業者であれば、多くの変更、置換、変形、および等価物を考えつくであろう。したがって、添付の特許請求の範囲は、様々な実施形態の真の趣旨の範囲内に入るそのような全ての変更および変形を網羅することを意図していることが理解されるべきである。
【図１】
0006970821.tif 000002
【図２】
0006970821.tif 000003
【図３】
0006970821.tif 000004
【図４】
0006970821.tif 000005
【図５】
0006970821.tif 000006
【図６】
0006970821.tif 000007
【図７】
0006970821.tif 000008
【図８】
0006970821.tif 000009